(57)【要約】【課題】安全性を確保しつつ、コストの増大および稼働率の低下を抑制すること。【解決手段】Ｔ／Ｃ１００は、デビット端末装置４００におけるデビット決済に用いられるデビットカードのＩＤと決済金額とを対応付けて記憶する。そして、Ｔ／Ｃ１００は、決済金額がメダル貸出装置３００におけるメダル貸出に利用された場合、決済金額から利用額を減算して更新する。メダル貸出装置３００は、デビットカードを受け付けて、このデビットカードに対応付けられている決済金額分を上限としてメダル貸出処理を行う。デビット端末装置４００は、デビットカードを受け付けて、暗証番号および決済希望金額が入力されると、デビット情報処理センター１０２０へ決済依頼を送信する。また、デビット端末装置４００は、デビット決済処理が完了すると、デビットカードのＩＤと決済金額とを対応付けてＴ／Ｃ１００へ送信する。【選択図】        図１
2007209443.tif 000002
【特許請求の範囲】
【請求項１】
記憶装置と遊技媒体貸出装置とを備え、デビットカードを用いたデビット決済により遊技媒体を貸し出す遊技媒体貸出システムであって、
前記記憶装置は、
デビット決済に用いられたデビットカードのデビットカードＩＤおよびデビット決済された決済金額を取得する取得手段と、
前記取得手段によって取得されたデビットカードＩＤおよび決済金額を対応付けて記憶する記憶手段とを有し、
前記遊技媒体貸出装置は、
デビット決済に用いられたデビットカードを受け付ける受付手段と、
前記受付手段に受け付けられたデビットカードのデビットカードＩＤに対応付けて前記記憶手段に記憶された決済金額を上限として遊技媒体の貸出処理を行う貸出処理手段とを有する
ことを特徴とする遊技媒体貸出システム。
【請求項２】
デビットカードを受け付ける第１受付手段と、
前記第１受付手段に受け付けられたデビットカードを用いてデビット決済を行うための暗証番号および決済希望金額の入力を受け付ける第２受付手段と、
前記第２受付手段に入力された暗証番号および決済希望金額を含む決済依頼の送信によりデビット決済処理を行う決済処理手段と、
前記決済処理手段によってデビット決済処理された決済金額および前記第１受付手段に受け付けられたデビットカードのデビットカードＩＤを送信する送信手段と
を有するデビット端末装置をさらに備え、
前記取得手段は、
前記送信手段から送信されたデビットカードＩＤおよび決済金額を受信することを特徴とする請求項１記載の遊技媒体貸出システム。
【請求項３】
前記第１受付手段は、
前記決済処理手段によるデビット決済処理が正常に終了した時に、前記デビットカードを返却することを特徴とする請求項２記載の遊技媒体貸出システム。
【請求項４】
前記決済処理手段は、
前記第２受付手段に入力された暗証番号および決済希望金額を一時的に記憶する一時記憶手段を含み、
前記第１受付手段は、
前記一時記憶手段によって暗証番号および決済希望金額が記憶された時に、前記デビットカードを返却することを特徴とする請求項２記載の遊技媒体貸出システム。
【請求項５】
前記記憶装置は、
前記受付手段に受け付けられたデビットカードのデビットカードＩＤを含み、遊技媒体の貸し出しを要求する旨の貸出要求を受信する貸出要求受信手段と、
前記受信手段によって貸出要求が受信されるたびに、前記貸出要求に含まれるデビットカードＩＤに対応付けて前記記憶手段に記憶された決済金額から遊技媒体の貸出単位分の金額を減算して決済金額を更新する更新手段と、
前記更新手段によって決済金額が更新されると、遊技媒体の貸し出しを許可する旨の貸出応答を前記遊技媒体貸出装置へ送信する貸出応答送信手段と
をさらに有し、
前記貸出処理手段は、
遊技客が遊技媒体の貸し出しを希望する場合に、前記貸出要求を前記記憶装置へ送信する貸出要求送信手段と、
前記貸出要求送信手段から貸出要求が送信された後に、前記貸出応答を受信する貸出応答受信手段と、
前記貸出応答受信手段によって前記貸出応答が受信されるたびに、貸出単位分の遊技媒体を前記遊技客へ貸し出す貸出手段と
を含むことを特徴とする請求項１記載の遊技媒体貸出システム。
【請求項６】
前記記憶装置は、
前記受付手段に受け付けられたデビットカードのデビットカードＩＤを含み、決済金額の通知を要求する旨の通知要求を受信する通知要求受信手段と、
前記受信手段によって受信された通知要求に含まれるデビットカードＩＤに対応付けて前記記憶手段に記憶された決済金額を送信する決済金額送信手段をさらに有し、
前記貸出処理手段は、
前記受付手段によってデビットカードが受け付けられた場合に、前記通知要求を前記記憶装置へ送信する通知要求送信手段と、
前記通知要求送信手段から通知要求が送信された後に、前記決済金額を受信する決済金額受信手段と、
遊技客が遊技媒体の貸し出しを希望する場合に、前記決済金額受信手段によって受信された決済金額から貸出単位分の金額を減算して決済金額の残額を更新する制御手段と、
前記制御手段によって前記決済金額の残額が更新されるたびに、貸出単位分の遊技媒体を前記遊技客へ貸し出す貸出手段と
を含むことを特徴とする請求項１記載の遊技媒体貸出システム。
【請求項７】
前記遊技媒体貸出装置は、
遊技客がデビットカードの返却を希望する場合に、前記制御手段によって更新された前記決済金額の残額を前記デビットカードのデビットカードＩＤとともに前記記憶装置へ送信する残額送信手段をさらに有し、
前記記憶装置は、
前記遊技媒体貸出装置から送信された残額およびデビットカードＩＤを受信する残額受信手段と、
前記受信手段によって受信されたデビットカードＩＤに対応付けて前記記憶手段に記憶された決済金額を前記受信手段によって受信された残額に更新する更新手段とをさらに有する
ことを特徴とする請求項６記載の遊技媒体貸出システム。
【請求項８】
デビットカードを用いたデビット決済金額分の遊技媒体を貸し出す遊技媒体貸出装置であって、
デビット決済に用いられたデビットカードを受け付ける受付手段と、
前記受付手段に受け付けられたデビットカードに対応するデビット決済金額を取得する取得手段と、
前記取得手段によって取得されたデビット決済金額を上限として遊技媒体の貸出処理を行う貸出処理手段と
を有することを特徴とする遊技媒体貸出装置。
【請求項９】
記憶装置と遊技媒体貸出装置とを備え、デビットカードを用いたデビット決済により遊技媒体を貸し出す遊技媒体貸出システムにおける遊技媒体貸出方法であって、
前記記憶装置が、
デビット決済に用いられたデビットカードのデビットカードＩＤおよびデビット決済された決済金額を取得する取得工程と、
前記取得工程にて取得されたデビットカードＩＤおよび決済金額を対応付けて記憶する記憶工程と、
前記遊技媒体貸出装置が、
デビット決済に用いられたデビットカードを受け付ける受付工程と、
前記受付工程にて受け付けられたデビットカードのデビットカードＩＤに対応付けて記憶された決済金額を上限として遊技媒体の貸出処理を行う貸出処理工程と
を有することを特徴とする遊技媒体貸出方法。
【発明の詳細な説明】
【技術分野】
【０００１】
本発明は、記憶装置と遊技媒体貸出装置とを備え、デビットカードを用いたデビット決済により遊技媒体を貸し出す遊技媒体貸出システムおよび遊技媒体貸出方法に関し、特に、安全性を確保しつつ、コストの増大および稼働率の低下を抑制することができる遊技媒体貸出システム、遊技媒体貸出装置、および遊技媒体貸出方法に関する。
【背景技術】
【０００２】
近年、銀行や郵便局のキャッシュカードを専用の端末に挿入し、暗証番号を押下することで決済が可能なデビット決済が広く行われるようになっている。デビット決済は、例えばパチスロ店などの遊技店におけるプリペイドカードの発行にも導入されつつある。デビット決済が導入された遊技店の遊技客は、デビット機能を備えたキャッシュカード（デビットカード）を携行していれば、現金を持ち歩かなくても遊技を行うことができ、非常に利便性が高い。
【０００３】
デビット決済によってプリペイドカードを購入するためには、遊技客は、デビット子機にデビットカードを挿入し、暗証番号を押下するとともに、デビット子機に併設されたカード発行装置で所望の金額を指定する。暗証番号および所望金額は、デビット子機から遊技店外のデビット情報処理センターへ通信され、デビット情報処理センターを介して所望金額を引き落とすデビット決済処理が行われ、決済完了の旨が遊技店内のデビット子機へ通知される。そして、決済が完了すると、デビット子機に併設されたカード発行装置から、所望金額分のプリペイドカードが発行される（例えば特許文献１参照）。
【０００４】
さらに、遊技店におけるデビット決済の導入方法としては、玉やメダルなどの遊技媒体を貸し出すために遊技台に併設された遊技媒体貸出装置にデビット機能を設け、この遊技媒体貸出装置からデビット決済により遊技媒体を貸し出すことも検討されている（例えば特許文献２参照）。
【０００５】
【特許文献１】特開２００４−２６５３１６号公報
【特許文献２】特開２００２−０００９２２号公報
【発明の開示】
【発明が解決しようとする課題】
【０００６】
しかしながら、上述した遊技店におけるデビット決済導入には、稼働率や安全性などの面で以下のような問題がある。すなわち、デビット子機に併設されたカード発行装置の場合は、プリペイドカードのような記録媒体が必要となるため、記録媒体のコストが不可避であるとともに、カード発行装置が遊技店内の島端に１台ずつ程度しか設置されていないため、遊技客がプリペイドカード購入のために遊技台を離れる時間が生じ、稼働率の低下を招く。特に、デビット決済によってプリペイドカードが発行される場合は、デビット決済およびプリペイドカードの発行に要する時間、１人の遊技客が装置を占用することになり、遊技客にとっても利便性が悪い。
【０００７】
また、デビット機能付き遊技媒体貸出装置の場合は、稼働率の低下を防止することができるものの、デビット決済を行う際には、暗証番号を押下することが不可欠であるため、隣の遊技台前や通路に他人がいる状態で暗証番号を押下することになる。この状態では、悪意のある他人が容易に暗証番号を盗み見ることができ、安全性が確保されない。
【０００８】
本発明はかかる点に鑑みてなされたものであり、安全性を確保しつつ、コストの増大および稼働率の低下を抑制することができる遊技媒体貸出システム、遊技媒体貸出装置、および遊技媒体貸出方法を提供することを目的とする。
【課題を解決するための手段】
【０００９】
上記課題を解決するために、本発明は、記憶装置と遊技媒体貸出装置とを備え、デビットカードを用いたデビット決済により遊技媒体を貸し出す遊技媒体貸出システムであって、前記記憶装置は、デビット決済に用いられたデビットカードのデビットカードＩＤおよびデビット決済された決済金額を取得する取得手段と、前記取得手段によって取得されたデビットカードＩＤおよび決済金額を対応付けて記憶する記憶手段とを有し、前記遊技媒体貸出装置は、デビット決済に用いられたデビットカードを受け付ける受付手段と、前記受付手段に受け付けられたデビットカードのデビットカードＩＤに対応付けて前記記憶手段に記憶された決済金額を上限として遊技媒体の貸出処理を行う貸出処理手段とを有することを特徴とする。
【００１０】
また、本発明は、上記発明において、デビットカードを受け付ける第１受付手段と、前記第１受付手段に受け付けられたデビットカードを用いてデビット決済を行うための暗証番号および決済希望金額の入力を受け付ける第２受付手段と、前記第２受付手段に入力された暗証番号および決済希望金額を含む決済依頼の送信によりデビット決済処理を行う決済処理手段と、前記決済処理手段によってデビット決済処理された決済金額および前記第１受付手段に受け付けられたデビットカードのデビットカードＩＤを送信する送信手段とを有するデビット端末装置をさらに備え、前記取得手段は、前記送信手段から送信されたデビットカードＩＤおよび決済金額を受信することを特徴とする。
【００１１】
また、本発明は、上記発明において、前記第１受付手段は、前記決済処理手段によるデビット決済処理が正常に終了した時に、前記デビットカードを返却することを特徴とする。
【００１２】
また、本発明は、上記発明において、前記決済処理手段は、前記第２受付手段に入力された暗証番号および決済希望金額を一時的に記憶する一時記憶手段を含み、前記第１受付手段は、前記一時記憶手段によって暗証番号および決済希望金額が記憶された時に、前記デビットカードを返却することを特徴とする。
【００１３】
また、本発明は、上記発明において、前記記憶装置は、前記受付手段に受け付けられたデビットカードのデビットカードＩＤを含み、遊技媒体の貸し出しを要求する旨の貸出要求を受信する貸出要求受信手段と、前記受信手段によって貸出要求が受信されるたびに、前記貸出要求に含まれるデビットカードＩＤに対応付けて前記記憶手段に記憶された決済金額から遊技媒体の貸出単位分の金額を減算して決済金額を更新する更新手段と、前記更新手段によって決済金額が更新されると、遊技媒体の貸し出しを許可する旨の貸出応答を前記遊技媒体貸出装置へ送信する貸出応答送信手段とをさらに有し、前記貸出処理手段は、遊技客が遊技媒体の貸し出しを希望する場合に、前記貸出要求を前記記憶装置へ送信する貸出要求送信手段と、前記貸出要求送信手段から貸出要求が送信された後に、前記貸出応答を受信する貸出応答受信手段と、前記貸出応答受信手段によって前記貸出応答が受信されるたびに、貸出単位分の遊技媒体を前記遊技客へ貸し出す貸出手段とを含むことを特徴とする。
【００１４】
また、本発明は、上記発明において、前記記憶装置は、前記受付手段に受け付けられたデビットカードのデビットカードＩＤを含み、決済金額の通知を要求する旨の通知要求を受信する通知要求受信手段と、前記受信手段によって受信された通知要求に含まれるデビットカードＩＤに対応付けて前記記憶手段に記憶された決済金額を送信する決済金額送信手段をさらに有し、前記貸出処理手段は、前記受付手段によってデビットカードが受け付けられた場合に、前記通知要求を前記記憶装置へ送信する通知要求送信手段と、前記通知要求送信手段から通知要求が送信された後に、前記決済金額を受信する決済金額受信手段と、遊技客が遊技媒体の貸し出しを希望する場合に、前記決済金額受信手段によって受信された決済金額から貸出単位分の金額を減算して決済金額の残額を更新する制御手段と、前記制御手段によって前記決済金額の残額が更新されるたびに、貸出単位分の遊技媒体を前記遊技客へ貸し出す貸出手段とを含むことを特徴とする。
【００１５】
また、本発明は、上記発明において、前記遊技媒体貸出装置は、遊技客がデビットカードの返却を希望する場合に、前記制御手段によって更新された前記決済金額の残額を前記デビットカードのデビットカードＩＤとともに前記記憶装置へ送信する残額送信手段をさらに有し、前記記憶装置は、前記遊技媒体貸出装置から送信された残額およびデビットカードＩＤを受信する残額受信手段と、前記受信手段によって受信されたデビットカードＩＤに対応付けて前記記憶手段に記憶された決済金額を前記受信手段によって受信された残額に更新する更新手段とをさらに有することを特徴とする。
【００１６】
デビットカードを用いたデビット決済金額分の遊技媒体を貸し出す遊技媒体貸出装置であって、デビット決済に用いられたデビットカードを受け付ける受付手段と、前記受付手段に受け付けられたデビットカードに対応するデビット決済金額を取得する取得手段と、前記取得手段によって取得されたデビット決済金額を上限として遊技媒体の貸出処理を行う貸出処理手段とを有することを特徴とする。
【００１７】
また、本発明は、記憶装置と遊技媒体貸出装置とを備え、デビットカードを用いたデビット決済により遊技媒体を貸し出す遊技媒体貸出システムにおける遊技媒体貸出方法であって、前記記憶装置が、デビット決済に用いられたデビットカードのデビットカードＩＤおよびデビット決済された決済金額を取得する取得工程と、前記取得工程にて取得されたデビットカードＩＤおよび決済金額を対応付けて記憶する記憶工程と、前記遊技媒体貸出装置が、デビット決済に用いられたデビットカードを受け付ける受付工程と、前記受付工程にて受け付けられたデビットカードのデビットカードＩＤに対応付けて記憶された決済金額を上限として遊技媒体の貸出処理を行う貸出処理工程とを有することを特徴とする。
【発明の効果】
【００１８】
本発明によれば、記憶装置が、デビット決済に用いられたデビットカードのデビットカードＩＤおよびデビット決済された決済金額を取得し、取得されたデビットカードＩＤおよび決済金額を対応付けて記憶し、遊技媒体貸出装置が、デビット決済に用いられたデビットカードを受け付け、受け付けられたデビットカードのデビットカードＩＤに対応付けて記憶された決済金額を上限として遊技媒体の貸出処理を行う。このため、遊技台に併設された遊技媒体貸出装置において遊技客がデビット決済のために暗証番号を押下することがないとともに、プリペイドカードなどの記録媒体の発行が不要となり、安全性を確保しつつ、コストの増大および稼働率の低下を抑制することができる。
【００１９】
また、本発明によれば、デビット端末装置が、デビットカードを受け付け、受け付けられたデビットカードを用いてデビット決済を行うための暗証番号および決済希望金額の入力を受け付け、入力された暗証番号および決済希望金額を含む決済依頼の送信によりデビット決済処理を行い、デビット決済処理された決済金額および受け付けられたデビットカードのデビットカードＩＤを送信し、記憶装置が、送信されたデビットカードＩＤおよび決済金額を受信する。このため、例えば島端などの周囲の他人に見られにくい位置にデビット端末装置を設置し、このデビット端末装置において暗証番号の押下が必要なデビット決済を行うことが可能となり、確実に暗証番号の盗み見を防止することができる。
【００２０】
また、本発明によれば、デビット決済処理が正常に終了した時に、デビットカードを返却するため、プリペイドカードなどの記録媒体の発行に要する時間がなくなり、各遊技客がデビット決済のために遊技台を離れる時間が短縮され、結果として、稼働率の低下を抑制することができる。
【００２１】
また、本発明によれば、入力された暗証番号および決済希望金額を一時的に記憶し、暗証番号および決済希望金額が記憶された時に、デビットカードを返却するため、遊技客はデビット決済の終了を待つ必要がなくなり、各遊技客がデビット決済のために遊技台を離れる時間がより短縮され、結果として、稼働率の低下をさらに抑制することができる。
【００２２】
また、本発明によれば、記憶装置が、受け付けられたデビットカードのデビットカードＩＤを含み、遊技媒体の貸し出しを要求する旨の貸出要求を受信し、貸出要求が受信されるたびに、貸出要求に含まれるデビットカードＩＤに対応付けて記憶された決済金額から遊技媒体の貸出単位分の金額を減算して決済金額を更新し、決済金額が更新されると、遊技媒体の貸し出しを許可する旨の貸出応答を遊技媒体貸出装置へ送信し、遊技媒体貸出装置が、遊技客が遊技媒体の貸し出しを希望する場合に、貸出要求を記憶装置へ送信し、貸出要求が送信された後に、貸出応答を受信し、貸出応答が受信されるたびに、貸出単位分の遊技媒体を遊技客へ貸し出す。このため、記憶装置に記憶される決済金額が常に最新の状態に更新され、遊技客が精算装置などにおいて決済金額の残額を精算する際に、記憶装置から精算装置へ残額を通知することができる。
【００２３】
また、本発明によれば、記憶装置が、受け付けられたデビットカードのデビットカードＩＤを含み、決済金額の通知を要求する旨の通知要求を受信し、受信された通知要求に含まれるデビットカードＩＤに対応付けて記憶された決済金額を送信し、遊技媒体貸出装置が、デビットカードが受け付けられた場合に、通知要求を記憶装置へ送信し、通知要求が送信された後に、決済金額を受信し、遊技客が遊技媒体の貸し出しを希望する場合に、受信された決済金額から貸出単位分の金額を減算して決済金額の残額を更新し、決済金額の残額が更新されるたびに、貸出単位分の遊技媒体を遊技客へ貸し出す。このため、遊技媒体貸出装置において決済金額の残額が更新され、遊技客が遊技媒体の貸し出しを希望してから実際に貸し出されるまでに記憶装置との通信が不要となり、迅速に遊技媒体の貸し出しを行うことができる。
【００２４】
また、本発明によれば、遊技媒体貸出装置が、遊技客がデビットカードの返却を希望する場合に、更新された決済金額の残額をデビットカードのデビットカードＩＤとともに記憶装置へ送信し、記憶装置が、遊技媒体貸出装置から送信された残額およびデビットカードＩＤを受信し、受信されたデビットカードＩＤに対応付けて記憶された決済金額を受信された残額に更新する。このため、記憶装置に記憶されている決済金額が最新の状態に更新され、遊技客が精算装置などにおいて決済金額の残額を精算する際に、記憶装置から精算装置へ残額を通知することができる。
【００２５】
また、本発明によれば、デビット決済に用いられたデビットカードを受け付け、受け付けられたデビットカードに対応するデビット決済金額を取得し、取得されたデビット決済金額を上限として遊技媒体の貸出処理を行う。このため、遊技台に併設された遊技媒体貸出装置において遊技客がデビット決済のために暗証番号を押下することがないとともに、プリペイドカードなどの記録媒体の発行が不要となり、安全性を確保しつつ、コストの増大および稼働率の低下を抑制することができる。
【発明を実施するための最良の形態】
【００２６】
以下、本発明の実施の形態について、図面を参照して詳細に説明する。なお、以下の説明においては、遊技媒体としてメダルを用いるパチスロを例に挙げて説明するが、遊技媒体として玉を用いるパチンコにおいても同様に本発明を適用することができる。また、以下では、デビット機能を備えたキャッシュカードを単に「デビットカード」という。
【００２７】
（実施の形態１）
図１は、本発明の実施の形態１に係る遊技媒体貸出システムの概要を示す図である。同図に示すように、本実施の形態に係る遊技媒体貸出システムにおいては、遊技店内にターミナルコントローラ（以下「Ｔ／Ｃ」と略記する）１００、島コントローラ２００、メダル貸出装置３００、デビット端末装置４００、およびカード精算装置５００が設置されている。そして、デビット端末装置４００は、公衆回線網１０１０を介してデビット情報処理センター１０２０に接続されており、デビット情報処理センター１０２０は、クリアリングセンターを含むＣＡＦＩＳ（Credit And Finance Information Switching system）ネットワーク１０３０を介してデビットカード発行銀行１０４０および加盟店銀行１０５０に接続されている。
【００２８】
Ｔ／Ｃ１００は、デビット端末装置４００におけるデビット決済に用いられるデビットカードのＩＤとデビット決済による決済金額とを対応付けて記憶する。そして、Ｔ／Ｃ１００は、決済金額がメダル貸出装置３００におけるメダル貸出に利用された場合、決済金額から利用額を減算して更新する。
【００２９】
島コントローラ２００は、「島」と呼ばれる単位ごとに複数のメダル貸出装置３００および島端のデビット端末装置４００を管理し、Ｔ／Ｃ１００とメダル貸出装置３００の間の情報のやり取りやＴ／Ｃ１００とデビット端末装置４００の間の情報のやり取りを中継する。
【００３０】
メダル貸出装置３００は、デビット決済に用いられたデビットカードを受け付けて、このデビットカードに対応付けられている決済金額分を上限としてメダル貸出処理を行う。メダル貸出装置３００によって貸し出されるメダルは、各メダル貸出装置３００に併設されている図示しないパチスロ機での遊技に用いられる。
【００３１】
デビット端末装置４００は、島端に設けられており、デビットカードを受け付けて、暗証番号および決済希望金額が入力されると、公衆回線網１０１０を介してデビット情報処理センター１０２０へデビット決済処理を依頼する決済依頼を送信する。また、デビット端末装置４００は、デビット情報処理センター１０２０を介したデビット決済処理が完了すると、デビット決済処理が正常に完了した旨の決済応答を受信し、デビットカードのＩＤと決済金額とを対応付けてＴ／Ｃ１００へ送信する。
【００３２】
ここで、デビット情報処理センター１０２０を介したデビット決済処理について、簡単に説明しておく。デビット端末装置４００から送信された決済依頼がデビット情報処理センター１０２０に受信されると、デビット情報処理センター１０２０からＣＡＦＩＳネットワーク１０３０に属するデビットカード発行銀行１０４０に対して決済処理が依頼される。この依頼を受けたデビットカード発行銀行１０４０は、デビットカードのＩＤに対応する口座から決済希望金額を引き落とし、引き落としが完了すると、デビット情報処理センター１０２０に対して処理完了を通知する。また、口座の残金不足や暗証番号違いなどによって正常な決済処理が不可能である場合は、その旨をデビット情報処理センター１０２０に通知する。
【００３３】
なお、即時実行分以外の決済処理は、あらかじめ決められた期間後（例えば、３営業日後）に実施され、利用料金から手数料等が差し引かれた代金が加盟店銀行１０５０に開設されたデビット情報処理センター１０２０の口座に振り込まれる。その後、このデビット情報処理センター１０２０の口座に振り込まれた代金からデビット情報処理センター１０２０の手数料が差し引かれた代金が各遊技店の銀行口座に振り込まれるようになっている。
【００３４】
再び遊技店内の説明に戻り、カード精算装置５００は、デビットカードを受け付けて、デビット端末装置４００においてデビット決済された決済金額のうち、未使用の金額を現金や電子マネーなどとして精算する。このとき、カード精算装置５００は、Ｔ／Ｃ１００から決済金額のうち未使用の金額の通知を受ける。なお、カード精算装置５００にもデビット機能を付加し、デビット端末装置４００による決済金額を取り消して、未使用の金額を含まない実際の利用額が再決済されるようにしても良い。
【００３５】
図２は、本実施の形態に係るデビット端末装置４００の要部構成を示すブロック図である。図２に示すデビット端末装置４００は、カード受付部４１０、ＩＤ読取部４２０、テンキー部４３０、制御部４４０、通信インタフェース（以下「通信Ｉ／Ｆ」と略記する）部４５０、表示部４６０、および決済金額送信部４７０を有している。
【００３６】
カード受付部４１０は、デビットカードの挿入／排出口を有しており、遊技客が所持するデビットカードを受け付ける。ＩＤ読取部４２０は、カード受付部４１０に挿入されたデビットカードのＩＤを読み取り、制御部４４０へ出力する。テンキー部４３０は、周囲から見られない位置に０〜９までの数字キーを有しており、デビットカードの暗証番号およびデビット決済を希望する決済希望金額の入力を受け付け、制御部４４０へ出力する。
【００３７】
制御部４４０は、ＩＤ読取部４２０からデビットカードＩＤが出力されると、表示部４６０に暗証番号および決済希望金額の入力を促すメッセージを表示させ、テンキー部４３０から暗証番号および決済希望金額が出力されると、デビットカードＩＤと暗証番号および決済希望金額とを含む決済依頼を生成し、通信Ｉ／Ｆ部４５０へ出力する。また、制御部４４０は、通信Ｉ／Ｆ部４５０から決済応答が出力されると、デビット決済が正常に行われたか否かを表示部４６０に表示させ、デビット決済が正常に行われた場合には、デビットカードＩＤと決済金額とを決済金額送信部４７０へ出力する。すなわち、制御部４４０は、デビット情報処理センター１０２０を介したデビット決済が正常に行われた旨の決済応答が通信Ｉ／Ｆ部４５０から出力された場合は、例えば決済金額とデビット決済が完了した旨のメッセージとを表示部４６０に表示させ、決済金額とデビットカードＩＤとを決済金額送信部４７０へ出力する。また、例えば残高不足や暗証番号違いなどによってデビット決済が正常に行われなかった旨の決済応答が通信Ｉ／Ｆ部４５０から出力された場合は、残高不足や暗証番号違いなどのエラーメッセージを表示部４６０に表示させる。
【００３８】
通信Ｉ／Ｆ部４５０は、制御部４４０によって生成された決済依頼を公衆回線網１０１０を介してデビット情報処理センター１０２０へ送信する。また、通信Ｉ／Ｆ部４５０は、デビット情報処理センター１０２０から送信された決済応答を公衆回線網１０１０を介して受信する。
【００３９】
表示部４６０は、制御部４４０の制御に従って、暗証番号および決済希望金額の入力を促すメッセージを表示したり、デビット決済が正常に完了した旨や残高が不足していた旨のメッセージなどを表示したりする。決済金額送信部４７０は、制御部４４０からデビットカードＩＤおよび決済金額が出力されると、これらを対応付けて島コントローラ２００を介してＴ／Ｃ１００へ送信する。
【００４０】
図３は、本実施の形態に係るＴ／Ｃ１００の要部構成を示すブロック図である。図３に示すＴ／Ｃ１００は、決済金額受信部１１０、決済金額書込部１２０、決済金額記憶部１３０、貸出要求受信部１４０、決済金額読出部１５０、決済金額更新部１６０、および貸出応答送信部１７０を有している。
【００４１】
決済金額受信部１１０は、デビット端末装置４００から送信されたデビットカードＩＤと決済金額を受信し、決済金額書込部１２０へ出力する。決済金額書込部１２０は、決済金額受信部１１０から出力されたデビットカードＩＤと決済金額を対応付けて決済金額記憶部１３０に書き込む。決済金額記憶部１３０は、例えば図４に示すようなテーブルを有しており、デビットカードＩＤと決済金額を対応付けて記憶している。
【００４２】
貸出要求受信部１４０は、メダル貸出装置３００から送信されるメダルの貸し出しを要求する旨の貸出要求を受信する。決済金額読出部１５０は、貸出要求受信部１４０に貸出要求が受信されると、貸出要求に含まれるデビットカードＩＤに対応する決済金額を決済金額記憶部１３０から読み出す。
【００４３】
決済金額更新部１６０は、決済金額読出部１５０によって読み出された決済金額からメダルの貸出単位に対応する金額を減算し、減算して得られた金額を決済金額記憶部１３０に記憶させて決済金額を更新する。また、決済金額更新部１６０は、決済金額の更新が完了した旨を貸出応答送信部１７０へ通知する。貸出応答送信部１７０は、決済金額更新部１６０から決済金額の更新が完了した旨が通知されると、貸出要求を送信したメダル貸出装置３００に対して、貸出単位分のメダルの貸し出しを許可することを示す貸出応答を送信する。また、貸出応答送信部１７０は、決済金額がメダルの貸出単位分に満たない場合は、メダルの貸し出しを許可しないことを示す貸出応答を送信する。
【００４４】
図５は、本実施の形態に係るメダル貸出装置３００の要部構成を示すブロック図である。図５に示すメダル貸出装置３００は、カード受付部３１０、ＩＤ読取部３２０、貸出キー部３３０、貸出要求送信部３４０、貸出応答受信部３５０、貸出制御部３６０、およびメダル投出部３７０を有している。
【００４５】
カード受付部３１０は、デビットカードの挿入／排出口を有しており、デビット端末装置４００におけるデビット決済に用いられたデビットカードを受け付ける。ＩＤ読取部３２０は、カード受付部３１０に挿入されたデビットカードのＩＤを読み取り、貸出要求送信部３４０へ出力する。貸出キー部３３０は、遊技客がメダルの貸し出しを希望する場合に押下するキーを有しており、このキーが押下されるとその旨を貸出要求送信部３４０へ通知する。
【００４６】
貸出要求送信部３４０は、貸出キー部３３０からキーが押下された旨が通知されると、ＩＤ読取部３２０によって読み取られたデビットカードＩＤを含む貸出要求を島コントローラ２００を介してＴ／Ｃ１００へ送信する。
【００４７】
貸出応答受信部３５０は、Ｔ／Ｃ１００から送信されるメダルの貸し出しの許可または不許可を示す貸出応答を島コントローラ２００を介して受信する。貸出制御部３６０は、貸出応答受信部３５０によって受信される貸出応答がメダルの貸出を許可するものである場合にのみ、貸出単位分のメダルを投出するようにメダル投出部３７０へ指示する。メダル投出部３７０は、投出口を有しており、貸出制御部３６０からメダルの投出指示があった場合に投出口から貸出単位分のメダルを投出する。
【００４８】
次いで、上記のように構成されたデビット端末装置４００、Ｔ／Ｃ１００、およびメダル貸出装置３００によるデビット決済からメダルの貸し出しまでの動作について、図６に示すシーケンス図を参照しながら説明する。
【００４９】
まず遊技客は、デビットカードを島端のデビット端末装置４００へ持参し、カード受付部４１０の挿入／排出口にデビットカードを挿入する。カード受付部４１０にデビットカードが受け付けられると、ＩＤ読取部４２０によってデビットカードＩＤが読み取られる（ステップＳ１０１）。読み取られたデビットカードＩＤは、制御部４４０へ通知され、制御部４４０の制御によって、表示部４６０に暗証番号および決済希望金額の入力を促すメッセージが表示される。
【００５０】
遊技客は、表示部４６０の表示に従って、テンキー部４３０を操作して暗証番号および決済希望金額を入力する（ステップＳ１０２）。このとき、テンキー部４３０のテンキーは、周囲から見られない位置にあるため、暗証番号が他人に盗み見られることはない。入力された暗証番号および決済希望金額は、制御部４４０へ出力され、制御部４４０によって、デビットカードＩＤと暗証番号および決済希望金額とを含む決済依頼が生成される。生成された決済依頼は、通信Ｉ／Ｆ部４５０へ出力され、通信Ｉ／Ｆ部４５０からデビット情報処理センター１０２０へ送信される（ステップＳ１０３）。
【００５１】
送信された決済依頼は、デビット情報処理センター１０２０によって受信され、上述したようにＣＡＦＩＳネットワーク１０３０に属するデビットカード発行銀行１０４０および加盟店銀行１０５０とのやり取りを通してデビット決済処理が行われる（ステップＳ１０４）。このとき、デビットカード発行銀行１０４０の遊技客の口座に決済希望金額以上の残高があり、暗証番号が違っていなければ、デビット決済処理は正常に完了し、残高不足や暗証番号が違っていれば、デビット決済処理は正常に完了しない。そこで、デビット決済処理が正常に完了したか否かを示す決済応答が、デビット情報処理センター１０２０からデビット端末装置４００へ送信される（ステップＳ１０５）。ここでは、デビット決済処理が正常に完了し、その旨の決済応答が送信されたものとする。
【００５２】
送信された決済応答は、デビット端末装置４００の通信Ｉ／Ｆ部４５０によって受信され、制御部４４０へ出力される。そして、制御部４４０によって、決済応答がデビット決済処理が正常に完了したことを示すものであると判断されると、表示部４６０に決済金額とデビット決済が正常に完了した旨のメッセージが表示される。なお、決済応答がデビット決済処理が正常に完了しなかったことを示す場合は、表示部４６０に残高不足や暗証番号違いなどのエラーメッセージが表示される。
【００５３】
デビット決済が完了すると、カード受付部４１０からはデビットカードが排出され、遊技客はデビットカードを受け取ってメダル貸出装置３００に併設されているパチスロ機へと移動する。すなわち、本実施の形態においては、デビット決済が完了すれば、デビット端末装置４００において、決済金額分の有価価値が関連付けられたプリペイドカードなどの記録媒体が発行されることがない。したがって、従来のデビット決済において記録媒体に要したコストを削減することができるとともに、記録媒体の発行に要する時間がなくなって、１人の遊技客がデビット端末装置４００を占用する時間が短縮される。結果として、遊技客がパチスロ機から離れる時間が短縮され、稼働率の低下を抑制することができる。
【００５４】
また、デビット決済が完了すると、制御部４４０からデビットカードＩＤと決済金額が決済金額送信部４７０へ出力され、デビットカードＩＤおよび決済金額が対応付けられてＴ／Ｃ１００へ送信される（ステップＳ１０６）。
【００５５】
送信されたデビットカードＩＤおよび決済金額は、Ｔ／Ｃ１００の決済金額受信部１１０によって受信され、決済金額書込部１２０へ出力される。そして、決済金額書込部１２０によって、デビットカードＩＤと決済金額が対応付けられて決済金額記憶部１３０に書き込まれる（ステップＳ１０７）。
【００５６】
一方、パチスロ機へ移動した遊技客は、デビット決済に用いたデビットカードをメダル貸出装置３００のカード受付部３１０の挿入／排出口に挿入する。カード受付部３１０にデビットカードが受け付けられると、ＩＤ読取部３２０によってデビットカードＩＤが読み取られる（ステップＳ１０８）。読み取られたデビットカードＩＤは、貸出要求送信部３４０へ通知され、貸出キー部３３０のキーの押下が待機される。
【００５７】
そして、遊技客がメダルの貸出を受けるため、貸出キー部３３０のキーを押下すると（ステップＳ１０９）、キーが押下された旨が貸出要求送信部３４０へ通知され、貸出要求送信部３４０によって、デビットカードＩＤを含む貸出要求がＴ／Ｃ１００へ送信される（ステップＳ１１０）。このとき、遊技客は、デビット端末装置４００において既にデビット決済を完了しているため、メダル貸出装置３００において暗証番号を押下する必要はなく、暗証番号が周囲の他人に知られる恐れがない。
【００５８】
送信された貸出要求は、Ｔ／Ｃ１００の貸出要求受信部１４０によって受信され、貸出要求が受信されると、決済金額読出部１５０によって、貸出要求に含まれるデビットカードＩＤに対応する決済金額が決済金額記憶部１３０から読み出される。読み出された決済金額は、決済金額更新部１６０へ通知され、決済金額更新部１６０によって、決済金額からメダルの貸出単位分の金額が減算される。減算されて得られた金額は、決済金額更新部１６０によって新たな決済金額として決済金額記憶部１３０に書き込まれ、デビットカードＩＤに対応付けられた決済金額が更新される（ステップＳ１１１）。本実施の形態においては、メダル貸出装置３００において貸出キー部３３０のキーが押下されるたびに、Ｔ／Ｃ１００に記憶されている決済金額の残額が更新されるため、決済金額記憶部１３０に記憶されている決済金額の残額が常に最新の状態に保たれる。
【００５９】
さらに、決済金額更新部１６０によって、決済金額の更新が完了した旨が貸出応答送信部１７０へ通知されると、貸出応答送信部１７０から貸出単位分のメダルの貸出を許可する旨の貸出応答がメダル貸出装置３００へ送信される（ステップＳ１１２）。なお、決済金額読出部１５０によって読み出された決済金額がメダルの貸出単位分に満たない場合は、その旨が決済金額更新部１６０から貸出応答送信部１７０へ通知され、貸出応答送信部１７０によって、メダルの貸出を許可しない旨の貸出応答がメダル貸出装置３００へ送信される。ここでは、メダルの貸出を許可する旨の貸出応答が送信されたものとする。
【００６０】
送信された貸出応答は、メダル貸出装置３００の貸出応答受信部３５０によって受信され、貸出応答が受信されると、貸出制御部３６０によって、貸出応答がメダルの貸出を許可する旨のものであることが確認され、メダル投出部３７０へ貸出単位分のメダルの投出が指示される。そして、メダル投出部３７０によって、貸出単位分のメダルが投出され、遊技客へメダルが貸し出されることになる（ステップＳ１１３）。なお、貸出応答がメダルの貸出を許可しない旨のものである場合は、貸出制御部３６０によってメダル投出部３７０へメダルの投出が指示されることはなく、例えば図示しない表示部などにエラーメッセージが表示される。
【００６１】
以上のように、本実施の形態によれば、島端のデビット端末装置が入力された暗証番号および決済希望金額を用いてデビット決済を行い、デビット決済に用いられたデビットカードのデビットカードＩＤと決済金額をＴ／Ｃが対応付けて記憶し、このデビットカードがメダル貸出装置に受け付けられると、Ｔ／Ｃからの許可により、デビットカードＩＤに対応する決済金額を上限としてメダルが貸し出される。このため、遊技客は、島端の他人に見られにくい位置にあるテンキーを操作して暗証番号の入力を伴うデビット決済を行うことになり、安全性が確保されるとともに、プリペイドカードなどの記録媒体の発行を不要にして、コストの増大および稼働率の低下を抑制することができる。
【００６２】
（実施の形態２）
本発明の実施の形態２の特徴は、デビット端末装置において暗証番号を一時的に記憶することにより、遊技客がデビット決済に要する時間を待つことを不要とするとともに、決済金額の利用をメダル貸出装置が管理する点である。
【００６３】
本実施の形態に係る遊技媒体貸出システムの概要は実施の形態１（図１）と同様であるため、その説明を省略する。本実施の形態においては、デビット端末装置４００、Ｔ／Ｃ１００、およびメダル貸出装置３００の内部構成が実施の形態１と異なる。
【００６４】
図７は、本実施の形態に係るデビット端末装置４００の要部構成を示すブロック図である。同図において、図２と同じ部分には同じ符号を付し、その説明を省略する。図７に示すデビット端末装置４００は、カード受付部４１０、ＩＤ読取部４２０、テンキー部４３０、一時記憶部７１０、制御部７２０、通信Ｉ／Ｆ部４５０、表示部７３０、および決済金額送信部４７０を有している。
【００６５】
一時記憶部７１０は、例えば図８に示すようなテーブルを有しており、デビットカードＩＤと決済希望金額および暗証番号とを対応付けて一時的に記憶する。そして、一時記憶部７１０は、テンキー部４３０に入力された決済希望金額および暗証番号が記憶されると、記憶が正常に行われたことを表示部７３０に表示させる。さらに、一時記憶部７１０は、記憶された順にデビットカードＩＤと決済希望金額および暗証番号とを制御部７２０へ出力する。このとき、一時記憶部７１０は、制御部７２０へ出力されたデビットカードＩＤと決済希望金額および暗証番号とをテーブルから消去する。
【００６６】
制御部７２０は、一時記憶部７１０からデビットカードＩＤと決済希望金額および暗証番号とが出力されると、これらを含む決済依頼を生成し、通信Ｉ／Ｆ部４５０へ出力する。また、制御部７２０は、通信Ｉ／Ｆ部４５０から決済応答が出力されると、デビット決済が正常に行われたか否かを判断し、デビット決済が正常に行われた場合には、デビットカードＩＤと決済金額とを決済金額送信部４７０へ出力する。
【００６７】
表示部７３０は、一時記憶部７１０にデビットカードＩＤに決済希望金額および暗証番号が対応付けられて記憶されると、記憶が正常に行われた旨のメッセージを表示する。遊技客は、このメッセージを確認するとカード受付部４１０から排出されるデビットカードを受け取ってメダル貸出装置３００に併設されているパチスロ機へと移動する。
【００６８】
図９は、本実施の形態に係るＴ／Ｃ１００の要部構成を示すブロック図である。同図において、図３と同じ部分には同じ符号を付し、その説明を省略する。図９に示すＴ／Ｃ１００は、決済金額受信部１１０、決済金額書込部１２０、決済金額記憶部１３０、通知要求受信部８１０、決済金額読出部１５０、決済金額送信部８２０、残額受信部８３０、および決済金額更新部８４０を有している。
【００６９】
通知要求受信部８１０は、メダル貸出装置３００から送信される決済金額の通知を要求する旨の通知要求を受信する。決済金額送信部８２０は、決済金額読出部１５０によって読み出された決済金額の情報を通知要求送信元のメダル貸出装置３００へ送信する。
【００７０】
残額受信部８３０は、メダル貸出装置３００から送信される決済金額のうち使用されずに残った残額の情報を受信する。決済金額更新部８４０は、残額情報に含まれるデビットカードＩＤに対応付けられて決済金額記憶部１３０に記憶されている決済金額を残額に更新する。
【００７１】
図１０は、本実施の形態に係るメダル貸出装置３００の要部構成を示すブロック図である。同図において、図５と同じ部分には同じ符号を付し、その説明を省略する。図１０に示すメダル貸出装置３００は、カード受付部３１０、ＩＤ読取部３２０、通知要求送信部９１０、決済金額受信部９２０、貸出キー部３３０、貸出制御部９３０、メダル投出部３７０、返却キー部９４０、残額読出部９５０、および残額送信部９６０を有している。
【００７２】
通知要求送信部９１０は、ＩＤ読取部３２０によってデビットカードＩＤが読み取られると、このデビットカードＩＤを含む通知要求を島コントローラ２００を介してＴ／Ｃ１００へ送信する。
【００７３】
決済金額受信部９２０は、Ｔ／Ｃ１００から送信される決済金額情報を島コントローラ２００を介して受信する。貸出制御部９３０は、貸出キー部３３０のキーが押下されるたびに、決済金額受信部９２０によって受信された決済金額情報に含まれる決済金額を上限として、貸出単位分ずつメダルを投出するようにメダル投出部３７０へ指示する。そして、貸出制御部９３０は、貸出単位分のメダルが投出されるたびに、決済金額から貸出単位分の金額を減算し、決済金額の残額を更新する。
【００７４】
返却キー部９４０は、遊技客が遊技を終了してデビットカードの返却を希望する場合に押下するキーを有しており、このキーが押下されるとその旨を残額読出部９５０へ通知するとともに、カード受付部３１０からデビットカードを排出させる。
【００７５】
残額読出部９５０は、返却キー部９４０からキーが押下された旨が通知されると、貸出制御部９３０に記憶されている決済金額の残額を読み出して、ＩＤ読取部３２０によって読み取られたデビットカードＩＤとともに残額情報として残額送信部９６０へ出力する。残額送信部９６０は、残額読出部９５０から出力される残額情報を島コントローラ２００を介してＴ／Ｃ１００へ送信する。
【００７６】
次いで、上記のように構成されたデビット端末装置４００、Ｔ／Ｃ１００、およびメダル貸出装置３００によるデビット決済からメダルの貸し出しまでの動作について、図１１に示すシーケンス図を参照しながら説明する。なお、同図において、図６と同じ部分には同じ符号を付し、その詳しい説明を省略する。
【００７７】
まず、デビット端末装置４００のカード受付部４１０にデビットカードが受け付けられると、ＩＤ読取部４２０によってデビットカードＩＤが読み取られ（ステップＳ１０１）、一時記憶部７１０に記憶される。そして、遊技客がテンキー部４３０を操作して暗証番号および決済希望金額を入力すると（ステップＳ１０２）、一時記憶部７１０に記憶されたデビットカードＩＤに対応付けられて暗証番号および決済希望金額が記憶される（ステップＳ２０１）。
【００７８】
デビットカードＩＤ、暗証番号、および決済希望金額などの決済情報が一時記憶部７１０に正常に記憶されると、その旨が表示部７３０に表示され、カード受付部４１０からはデビットカードが排出される。そこで、遊技客はデビットカードを受け取ってメダル貸出装置３００に併設されているパチスロ機へと移動する。すなわち、本実施の形態においては、暗証番号や決済希望金額の入力が完了すれば、遊技客は、デビット端末装置４００においてデビット決済の完了やプリペイドカードなどの記録媒体の発行を待つ必要がない。したがって、実施の形態１に加えて、１人の遊技客がデビット端末装置４００を占用する時間からデビット決済に要する時間を短縮することができる。結果として、遊技客がパチスロ機から離れる時間がより短縮され、稼働率の低下をさらに抑制することができる。
【００７９】
一時記憶部７１０に記憶された決済情報は、記憶された順に制御部７２０へ出力され、制御部７２０によって、デビットカードＩＤと暗証番号および決済希望金額とを含む決済依頼が生成される。生成された決済依頼は、通信Ｉ／Ｆ部４５０からデビット情報処理センター１０２０へ送信される（ステップＳ１０３）。なお、一時記憶部７１０から制御部７２０へ出力された決済情報は消去される。
【００８０】
送信された決済依頼は、デビット情報処理センター１０２０によって受信され、実施の形態１と同様のデビット決済処理が行われる（ステップＳ１０４）。その後、デビット情報処理センター１０２０からデビット端末装置４００へ決済応答が送信される（ステップＳ１０５）。ここでは、デビット決済処理が正常に完了し、その旨の決済応答が送信されたものとする。
【００８１】
送信された決済応答は、デビット端末装置４００の通信Ｉ／Ｆ部４５０によって受信され、制御部７２０へ出力される。そして、制御部７２０によって、決済応答がデビット決済処理が正常に完了したことを示すものであると判断されると、デビットカードＩＤと決済金額が決済金額送信部４７０へ出力され、デビットカードＩＤおよび決済金額が対応付けられてＴ／Ｃ１００へ送信される（ステップＳ１０６）。
【００８２】
送信されたデビットカードＩＤおよび決済金額は、Ｔ／Ｃ１００の決済金額受信部１１０によって受信され、決済金額書込部１２０へ出力される。そして、決済金額書込部１２０によって、デビットカードＩＤと決済金額が対応付けられて決済金額記憶部１３０に書き込まれる（ステップＳ１０７）。
【００８３】
一方、パチスロ機へ移動した遊技客は、デビット決済に用いたデビットカードをメダル貸出装置３００のカード受付部３１０の挿入／排出口に挿入する。カード受付部３１０にデビットカードが受け付けられると、ＩＤ読取部３２０によってデビットカードＩＤが読み取られる（ステップＳ１０８）。読み取られたデビットカードＩＤは、通知要求送信部９１０へ通知され、通知要求送信部９１０によって、デビットカードＩＤに対応する決済金額の通知を要求する旨の通知要求がＴ／Ｃ１００へ送信される（ステップＳ２０２）。このとき、遊技客は、デビット端末装置４００において既にデビット決済を完了しているため、メダル貸出装置３００において暗証番号を押下する必要はなく、暗証番号が周囲の他人に知られる恐れがない。
【００８４】
送信された通知要求は、Ｔ／Ｃ１００の通知要求受信部８１０によって受信され、通知要求が受信されると、決済金額読出部１５０によって、通知要求に含まれるデビットカードＩＤに対応する決済金額が決済金額記憶部１３０から読み出される。読み出された決済金額は、決済金額送信部８２０へ通知され、決済金額送信部８２０によって、決済金額情報がメダル貸出装置３００へ送信される（ステップＳ２０３）。
【００８５】
送信された決済金額情報は、メダル貸出装置３００の決済金額受信部９２０によって受信され、決済金額が貸出制御部９３０へ通知される。そして、貸出制御部９３０によって決済金額が記憶され（ステップＳ２０４）、貸出キー部３３０のキーの押下が待機される。
【００８６】
そして、遊技客がメダルの貸出を受けるため、貸出キー部３３０のキーを押下すると、キーが押下された旨が貸出制御部９３０へ通知され、貸出制御部９３０によって、記憶した決済金額から貸出単位分の金額が減算されるとともに、メダル投出部３７０へ貸出単位分のメダルの投出が指示される。そして、メダル投出部３７０によって、貸出単位分のメダルが投出され、遊技客へメダルが貸し出されることになる（ステップＳ２０５）。
【００８７】
なお、貸出制御部９３０は、貸出キー部３３０のキーが押下されるたびに、記憶した決済金額から貸出単位分の金額を減算していき、残額が貸出単位分に満たなくなった場合は、メダル投出部３７０へメダルの投出が指示されることはなく、例えば図示しない表示部などにエラーメッセージが表示される。換言すれば、貸出制御部９３０は、Ｔ／Ｃ１００から通知された決済金額を上限としてメダルの貸出制御を行う。本実施の形態においては、決済金額がメダル貸出装置３００に通知されているため、貸出キー部３３０のキーが押下されるたびにＴ／Ｃ１００へ決済金額の残額を問い合わせる必要がなく、メダル貸出処理に要する時間を短縮することができる。
【００８８】
その後、遊技客が遊技を終了して決済金額の精算を行う場合、遊技客は、返却キー部９４０のキーを押下する（ステップＳ２０６）。返却キー部９４０のキーが押下されると、その旨が残額読出部９５０へ通知されるとともに、カード受付部３１０からデビットカードが排出される。そして、残額読出部９５０によって、貸出制御部９３０に記憶されている決済金額の残額が読み出され、ＩＤ読取部３２０によって読み取られたデビットカードＩＤと残額を含む残額情報が残額送信部９６０へ出力される。残額情報は、残額送信部９６０からＴ／Ｃ１００へ送信される（ステップＳ２０７）。
【００８９】
送信された残額情報は、Ｔ／Ｃ１００の残額受信部８３０によって受信され、残額とデビットカードＩＤが決済金額更新部８４０へ通知される。そして、決済金額更新部８４０によって、通知されたデビットカードＩＤに対応付けて決済金額記憶部１３０に記憶されている決済金額が通知された残額に更新される（ステップＳ２０８）。これにより、決済金額記憶部１３０においては、デビットカードＩＤに対応付けられた決済金額が最新の状態となり、カード精算装置５００においてデビットカードに対応する残額をＴ／Ｃ１００から読み出し、現金または電子マネーなどとして精算することが可能となる。
【００９０】
以上のように、本実施の形態によれば、島端のデビット端末装置においてデビット決済に必要な暗証番号および決済希望金額が一時的に記憶され、デビット端末装置が記憶された暗証番号と決済希望金額を用いてデビット決済を行い、デビット決済に用いられたデビットカードのデビットカードＩＤと決済金額をＴ／Ｃが対応付けて記憶し、このデビットカードがメダル貸出装置に受け付けられると、デビットカードＩＤに対応する決済金額がＴ／Ｃからメダル貸出装置へ通知され、この決済金額を上限としてメダルが貸し出される。このため、遊技客は、島端の他人に見られにくい位置にあるテンキーを操作して暗証番号の入力のみを行い、デビット決済が完了するのを待つ必要がなく、安全性が確保されるとともに、デビット端末装置における所要時間をより短縮して稼働率の低下をさらに抑制することができる。
【００９１】
また、本実施の形態によれば、デビット決済された決済金額がＴ／Ｃからメダル貸出装置へ通知されているため、メダル貸出装置において貸出単位分のメダルが貸し出される際に、決済金額の残額をＴ／Ｃへ問い合わせる必要がなく、メダル貸出処理に要する時間を短縮することができる。
【００９２】
（実施の形態３）
本発明の実施の形態３の特徴は、デビット端末装置においてあらかじめデビット決済する上限の金額の残高照会をしておき、遊技客がメダル貸出装置において複数回の決済を要求する点である。
【００９３】
本実施の形態に係る遊技媒体貸出システムの概要は実施の形態１（図１）と同様であるため、その説明を省略する。本実施の形態においては、デビット端末装置４００およびメダル貸出装置３００の内部構成が実施の形態１と異なる。また、本実施の形態に係るＴ／Ｃ１００は、実施の形態１（図３）と同様であるため、その説明を省略する。
【００９４】
図１２は、本実施の形態に係るデビット端末装置４００の要部構成を示すブロック図である。同図において、図２および図７と同じ部分には同じ符号を付し、その説明を省略する。図１２に示すデビット端末装置４００は、カード受付部４１０、ＩＤ読取部４２０、テンキー部４３０、一時記憶部７１０ａ、制御部７２０ａ、通信Ｉ／Ｆ部４５０、表示部７３０、決済金額送信部４７０、および決済要求受信部７１５を有している。
【００９５】
一時記憶部７１０ａは、例えば図１３に示すようなテーブルを有しており、デビットカードＩＤと決済上限金額、決済可能残額、暗証番号、および残高照会が完了したか否かとを対応付けて一時的に記憶する。ここで、決済上限金額とは、遊技客が遊技店においてデビット決済する所望の上限金額であり、決済可能残額とは、決済上限金額から実際にデビット決済された金額を減じて残った残額である。また、後述するように、制御部７２０ａによって決済上限金額の残高照会が完了すると、図１３に示すテーブルのように、残高照会の欄が「済」とされる。そして、一時記憶部７１０ａは、テンキー部４３０に入力された決済上限金額および暗証番号が記憶されると、記憶された順にデビットカードＩＤと決済上限金額および暗証番号とを制御部７２０ａへ出力する。
【００９６】
制御部７２０ａは、一時記憶部７１０ａからデビットカードＩＤと決済上限金額および暗証番号とが出力されると、決済上限金額以上の残高が遊技客の口座にあるか否かを問い合わせる残高照会を通信Ｉ／Ｆ部４５０から送信する。そして、制御部７２０ａは、残高照会に対する応答として、遊技客の口座に決済上限金額以上の残高がある旨の残高応答が通信Ｉ／Ｆ部４５０に受信されると、一時記憶部７１０ａに各決済上限金額の残高照会が完了した旨を記録しておく。
【００９７】
また、制御部７２０ａは、メダル貸出装置３００から決済要求受信部７１５に決済要求が受信されると、デビットカードＩＤと例えば１万円などの固定決済金額および暗証番号とを含む決済依頼を生成し、通信Ｉ／Ｆ部４５０へ出力する。そして、制御部７２０ａは、通信Ｉ／Ｆ部４５０から決済応答が出力されると、デビットカードＩＤと決済金額とを決済金額送信部４７０へ出力すると同時に、一時記憶部７１０ａにおける決済可能残額から決済金額を減算して更新する。
【００９８】
決済要求受信部７１５は、メダル貸出装置３００から例えば１万円などの固定金額の決済を要求する旨の決済要求を受信し、決済要求に含まれるデビットカードＩＤを制御部７２０ａへ通知する。本実施の形態においては、決済要求受信部７１５に決済要求が受信される度に、固定金額の決済が行われ、既に残高照会された決済上限金額を上限とした決済が複数回行われることになる。
【００９９】
図１４は、本実施の形態に係るメダル貸出装置３００の要部構成を示すブロック図である。同図において、図５と同じ部分には同じ符号を付し、その説明を省略する。図１４に示すメダル貸出装置３００は、カード受付部３１０、ＩＤ読取部３２０、貸出要求送信部３４０、貸出応答受信部３５０、貸出制御部３６０、メダル投出部３７０、貸出・決済キー部９１５、および決済要求送信部９２５を有している。
【０１００】
貸出・決済キー部９１５は、遊技客がメダルの貸し出しを希望する場合に押下する貸出キーおよびデビット端末装置４００における残高照会を完了した遊技客が例えば１万円などの固定金額のデビット決済を希望する場合に押下する決済キーを有しており、貸出キーが押下されるとその旨を貸出要求送信部３４０へ通知し、決済キーが押下されるとその旨を決済要求送信部９２５へ通知する。
【０１０１】
決済要求送信部９２５は、貸出・決済キー部９１５の決済キーが押下されると、ＩＤ読取部３２０によって読み取られたデビットカードＩＤを含む決済要求をデビット端末装置４００へ送信する。
【０１０２】
次いで、上記のように構成されたデビット端末装置４００、Ｔ／Ｃ１００、およびメダル貸出装置３００によるデビット決済からメダルの貸し出しまでの動作について、図１５に示すシーケンス図を参照しながら説明する。なお、同図において、図６と同じ部分には同じ符号を付し、その詳しい説明を省略する。
【０１０３】
まず、デビット端末装置４００のカード受付部４１０にデビットカードが受け付けられると、ＩＤ読取部４２０によってデビットカードＩＤが読み取られ（ステップＳ１０１）、一時記憶部７１０ａに記憶される。そして、遊技客がテンキー部４３０を操作して暗証番号および決済上限金額を入力すると（ステップＳ３０１）、一時記憶部７１０ａに記憶されたデビットカードＩＤに対応付けられて暗証番号および決済上限金額が記憶される。なお、決済上限金額については、遊技客が任意の金額を入力しても良いが、例えば３万円などのようにあらかじめ決定されていても良い。
【０１０４】
一時記憶部７１０ａにデビットカードＩＤ、暗証番号、および決済上限金額が記憶されると、制御部７２０ａによって、決済上限金額以上の残高が遊技客の口座にあるか否かを問い合わせる残高照会が通信Ｉ／Ｆ部４５０からデビット情報処理センター１０２０へ送信される（ステップＳ３０２）。そして、デビット情報処理センター１０２０によって、所定の残高照会処理が行われ（ステップＳ３０３）、遊技客の口座に決済上限金額以上の残高がある場合は、その旨を示す残高応答がデビット端末装置４００へ返送される（ステップＳ３０４）。
【０１０５】
送信された残高応答は、通信Ｉ／Ｆ部４５０によって受信され、制御部７２０ａによって、一時記憶部７１０ａの該当する決済上限金額に関して残高照会が完了した旨が記録される。一時記憶部７１０ａに残高照会済みが記録されると、残高照会が完了した旨が表示部７３０に表示され、カード受付部４１０からはデビットカードが排出される。そこで、遊技客はデビットカードを受け取ってメダル貸出装置３００に併設されているパチスロ機へと移動する。すなわち、本実施の形態においては、決済上限金額の残高照会が完了すれば、遊技客は、デビット端末装置４００においてデビット決済の完了やプリペイドカードなどの記録媒体の発行を待つ必要がない。このため、実施の形態２と比べて、それぞれの遊技客に残高照会の時間を要するものの、遊技客がデビット端末装置４００を離れてから残高不足などが判明することがなく、より確実な時間短縮を図ることができる。
【０１０６】
パチスロ機へ移動した遊技客は、残高照会に用いたデビットカードをメダル貸出装置３００のカード受付部３１０の挿入／排出口に挿入する。カード受付部３１０にデビットカードが受け付けられると、ＩＤ読取部３２０によってデビットカードＩＤが読み取られる（ステップＳ１０８）。そして、遊技客は、貸出・決済キー部９１５の決済キーを押下する（ステップＳ３０５）。決済キーが押下されると、決済要求送信部９２５によって、ＩＤ読取部３２０によって読み取られたデビットカードＩＤを含む固定金額の決済要求がデビット端末装置４００へ送信される（ステップＳ３０６）。
【０１０７】
送信された決済要求は、デビット端末装置４００の決済要求受信部７１５によって受信され、決済要求に含まれるデビットカードＩＤが制御部７２０ａへ通知される。そして、制御部７２０ａによって、通知されたデビットカードＩＤに対応する暗証番号が一時記憶部７１０ａから読み出されるとともに、このデビットカードＩＤに対応する決済可能残額が決済する固定金額以上であるか否かが判断される。この結果、決済可能残額が固定金額以上であれば、この固定金額の決済を依頼する旨の決済依頼が通信Ｉ／Ｆ部４５０からデビット情報処理センター１０２０へ送信される（ステップＳ１０３）。
【０１０８】
送信された決済依頼は、デビット情報処理センター１０２０によって受信され、実施の形態１と同様のデビット決済処理が行われる（ステップＳ１０４）。その後、デビット情報処理センター１０２０からデビット端末装置４００へ決済応答が送信される（ステップＳ１０５）。
【０１０９】
送信された決済応答は、デビット端末装置４００の通信Ｉ／Ｆ部４５０によって受信され、制御部７２０ａへ出力される。そして、制御部７２０ａによって、一時記憶部７１０ａの該当する決済可能残額から決済済みの固定金額（決済金額）が減算更新される。また、デビットカードＩＤと決済金額が決済金額送信部４７０へ出力され、デビットカードＩＤおよび決済金額が対応付けられてＴ／Ｃ１００へ送信される（ステップＳ１０６）。
【０１１０】
以降、実施の形態１と同様に、Ｔ／Ｃ１００とメダル貸出装置３００との間のやり取りによりメダルの貸し出しが行われる。そして、本実施の形態においては、遊技客が再び固定金額の決済を希望する場合、最初に残高照会した決済上限金額の範囲内であれば、再度貸出・決済キー部９１５の決済キーを押下することにより、デビット端末装置４００へ決済要求が送信され、固定金額のデビット決済が行われることになる。このため、遊技客は、デビット決済のためにパチスロ機を離れる必要がなく、稼働率の低下をさらに抑制することができる。
【０１１１】
以上のように、本実施の形態によれば、島端のデビット端末装置においてあらかじめデビット決済の上限金額の残高照会が実行され、遊技客がメダル貸出装置から決済を要求することで、上限金額の範囲内で複数回のデビット決済が行われる。このため、遊技客は、デビット決済の度にデビット端末装置へ移動する必要がなくなり、便宜性が図られるとともに、遊技店は、稼働率の低下をさらに抑制することができる。
【０１１２】
なお、上記実施の形態１、２においては、デビット端末装置４００において遊技客が決済希望金額を入力するものとしたが、決済金額をあらかじめ固定しておき、遊技客は、暗証番号のみを入力するようにしても良い。
【０１１３】
また、上記実施の形態３においては、残高照会時に最初の固定金額のデビット決済を行うようにしても良い。実施の形態３におけるデビット決済は、メダル貸出装置３００において決済金額を入力するようにして、固定金額ではない金額を決済することも可能である。また、実施の形態３においては、不正防止のため、メダル貸出装置３００から一度でもデビットカードが排出された場合は、デビット端末装置４００の一時記憶部７１０ａに記憶された決済上限金額、決済可能残額、および暗証番号などを消去するようにしても良い。
【０１１４】
さらに、上記各実施の形態においては、Ｔ／Ｃ１００が決済金額を記憶しておくものとしたが、デビット端末装置４００が決済後の決済金額をデビットカードＩＤと対応付けて記憶しても良く、また、例えばプリペイドカードなどの記録媒体が併用される遊技店においては、プリペイドカードの残額管理をするカード管理Ｔ／Ｃなどが決済金額を記憶しても良い。また、Ｔ／Ｃ１００が公衆回線網１０１０に接続されるようにして、デビット端末装置４００に入力された暗証番号および決済希望金額によるデビット決済をＴ／Ｃ１００が行うなどのように種々変更することもできる。
【産業上の利用可能性】
【０１１５】
本発明は、安全性を確保しつつ、コストの増大および稼働率の低下を抑制する場合に適している。
【図面の簡単な説明】
【０１１６】
【図１】本発明の実施の形態１に係る遊技媒体貸出システムの概要を示す図である。
【図２】実施の形態１に係るデビット端末装置の要部構成を示すブロック図である。
【図３】実施の形態１に係るＴ／Ｃの要部構成を示すブロック図である。
【図４】実施の形態１に係る決済金額記憶部に記憶されるテーブルの一例を示す図である。
【図５】実施の形態１に係るメダル貸出装置の要部構成を示すブロック図である。
【図６】実施の形態１に係るデビット決済からメダル貸出までの動作を示すシーケンス図である。
【図７】本発明の実施の形態２に係るデビット端末装置の要部構成を示すブロック図である。
【図８】実施の形態２に係る一時記憶部に記憶されるテーブルの一例を示す図である。
【図９】実施の形態２に係るＴ／Ｃの要部構成を示すブロック図である。
【図１０】実施の形態２に係るメダル貸出装置の要部構成を示すブロック図である。
【図１１】実施の形態２に係るデビット決済からメダル貸出までの動作を示すシーケンス図である。
【図１２】本発明の実施の形態３に係るデビット端末装置の要部構成を示すブロック図である。
【図１３】実施の形態３に係る一時記憶部に記憶されるテーブルの一例を示す図である。
【図１４】実施の形態３に係るメダル貸出装置の要部構成を示すブロック図である。
【図１５】実施の形態３に係るデビット決済からメダル貸出までの動作を示すシーケンス図である。
【符号の説明】
【０１１７】
１１０  決済金額受信部
１２０、９２０  決済金額書込部
１３０  決済金額記憶部
１４０  貸出要求受信部
１５０  決済金額読出部
１６０、８４０  決済金額更新部
１７０  貸出応答送信部
３１０  カード受付部
３２０  ＩＤ読取部
３３０  貸出キー部
３４０  貸出要求送信部
３５０  貸出応答受信部
３６０、９３０  貸出制御部
３７０  メダル投出部
４１０  カード受付部
４２０  ＩＤ読取部
４３０  テンキー部
４４０、７２０、７２０ａ  制御部
４５０  通信Ｉ／Ｆ部
４６０、７３０  表示部
４７０、８２０  決済金額送信部
７１０、７１０ａ  一時記憶部
７１５  決済要求受信部
８１０  通知要求受信部
８３０  残額受信部
９１０  通知要求送信部
９１５  貸出・決済キー部
９２５  決済要求送信部
９４０  返却キー部
９５０  残額読出部
９６０  残額送信部
【図１】
2007209443.tif 000003
【図２】
2007209443.tif 000004
【図３】
2007209443.tif 000005
【図４】
2007209443.tif 000006
【図５】
2007209443.tif 000007
【図６】
2007209443.tif 000008
【図７】
2007209443.tif 000009
【図８】
2007209443.tif 000010
【図９】
2007209443.tif 000011
【図１０】
2007209443.tif 000012
【図１１】
2007209443.tif 000013
【図１２】
2007209443.tif 000014
【図１３】
2007209443.tif 000015
【図１４】
2007209443.tif 000016
【図１５】
2007209443.tif 000017